(57)【要約】【課題】基地局が隣接ノードに関する大量の情報を保持することなく、かつ、再接続トラヒックの集中を防ぐことのできる再接続方法を得ること。【解決手段】移動端末が第１の基地局の配下から第２の基地局の配下へ移動し、再接続先の第２の基地局が移動端末のコンテキスト情報を取得する再接続方法であって、移動端末がユーザＩＤを含むＩＤ情報を通知するステップ（Ｓ１４）と、第２の基地局がＩＤ情報に基づいて第１の基地局へＩＤ情報を通知するステップと、第１の基地局がＩＤ情報に基づいて移動端末のコンテキスト情報を第２の基地局へ送信するステップと、第２の基地局が基地局制御装置へＩＤ情報を通知して移動端末に対応するコンテキスト情報を取得するステップ（Ｓ２２〜Ｓ２４）と、を含み、第１の基地局が特定できなかった場合にコンテキスト情報を取得するステップを実施する。【選択図】        図２−３
2011009798.tif 000002
【特許請求の範囲】
【請求項１】
移動端末、前記移動端末と無線接続する基地局、および前記基地局を制御する基地局制御装置で構成される通信システムにおいて、前記移動端末が第１の基地局の配下から第２の基地局の配下へ移動した後に、再接続先の第２の基地局が前記移動端末との通信に関する情報であるコンテキスト情報を取得する場合の再接続方法であって、
前記移動端末が、前記第２の基地局と無線コネクションを確立すると同時に、自身の識別子であるユーザＩＤを含むＩＤ情報を通知する第１のＩＤ情報通知ステップと、
前記第２の基地局が、前記ＩＤ情報に基づいて前記第１の基地局を特定する基地局特定ステップと、
前記第２の基地局が、特定した第１の基地局へ前記ＩＤ情報を通知する第２のＩＤ情報通知ステップと、
前記第１の基地局が、前記ＩＤ情報に基づいて前記移動端末に対応するコンテキスト情報を特定するコンテキスト特定ステップと、
前記第１の基地局が、特定したコンテキスト情報を前記第２の基地局へ送信するコンテキスト送信ステップと、
前記第２の基地局が、自身を制御する基地局制御装置へ前記ＩＤ情報を通知して、前記移動端末に対応するコンテキスト情報を取得するコンテキスト取得ステップと、
を含み、
前記基地局特定ステップで前記第１の基地局が特定できなかった場合に、前記コンテキスト取得ステップを実施することを特徴とする再接続方法。
【請求項２】
さらに、前記コンテキスト特定ステップで前記移動端末に対応するコンテキスト情報が特定できなかった場合に、前記コンテキスト取得ステップを実施することを特徴とする請求項１に記載の再接続方法。
【請求項３】
前記コンテキスト取得ステップでは、前記第２の基地局を制御する基地局制御装置が、前記ＩＤ情報に基づいて前記移動端末に対応するコンテキスト情報を特定し、そのコンテキスト情報を前記第２の基地局へ送信することを特徴とする請求項１または２に記載の再接続方法。
【請求項４】
前記コンテキスト取得ステップは、
前記第２の基地局を制御する基地局制御装置が、前記第１の基地局を制御する基地局制御装置に前記ＩＤ情報を通知する第３のＩＤ情報通知ステップと、
前記第１の基地局を制御する基地局制御装置が、前記ＩＤ情報に基づいて前記移動端末に対応するコンテキスト情報を特定し、特定したコンテキスト情報を前記第２の基地局を制御する基地局制御装置へ送信する制御装置コンテキスト送信ステップと、
前記第２の基地局を制御する基地局制御装置が、前記制御装置コンテキスト送信ステップで通知されたコンテキスト情報を前記第２の基地局へ転送するコンテキスト転送ステップと、
を含むことを特徴とする請求項１または２に記載の再接続方法。
【請求項５】
前記コンテキスト取得ステップは、
前記第２の基地局を制御する基地局制御装置が、前記第１の基地局を制御する基地局制御装置に前記ＩＤ情報を通知する第３のＩＤ情報通知ステップと、
前記第１の基地局を制御する基地局制御装置が、前記ＩＤ情報に基づいて前記第１の基地局を特定し、前記第１の基地局へ前記ＩＤ情報を通知する第４のＩＤ情報通知ステップと、
前記第１の基地局が、前記第４のＩＤ情報通知ステップで送信されたＩＤ情報に基づいて前記移動端末に対応するコンテキスト情報を特定し、特定したコンテキスト情報を前記第１の基地局を制御する基地局制御装置へ送信する基地局コンテキスト送信ステップと、
前記第１の基地局を制御する基地局制御装置が、前記基地局コンテキスト送信ステップで送信されたコンテキスト情報を前記第２の基地局を制御する基地局制御装置へ転送する第１のコンテキスト転送ステップと、
前記第２の基地局を制御する基地局制御装置が、前記第１のコンテキスト転送ステップで送信されたコンテキスト情報を前記第２の基地局へ転送する第２のコンテキスト転送ステップと、
を含むことを特徴とする請求項１に記載の再接続方法。
【請求項６】
前記コンテキスト取得ステップは、
前記第２の基地局を制御する基地局制御装置が、前記ＩＤ情報に基づいて前記第１の基地局を制御する基地局制御装置を特定し、特定した基地局制御装置の識別子を含む基地局制御装置情報を前記第２の基地局へ送信する基地局制御装置情報送信ステップと、
前記第２の基地局が、前記ＩＤ情報を、前記基地局制御装置情報に基づいて前記第１の基地局を制御する基地局制御装置へ送信する第３のＩＤ情報通知ステップと、
前記第１の基地局を制御する基地局制御装置が、前記ＩＤ情報に基づいて前記移動端末に対応するコンテキスト情報を特定し、そのコンテキスト情報を前記第２の基地局に送信する制御装置コンテキスト送信ステップと、
を含むことを特徴とする請求項１または２に記載の再接続方法。
【請求項７】
前記コンテキスト取得ステップは、
前記第２の基地局を制御する基地局制御装置が、前記ＩＤ情報に基づいて前記第１の基地局を制御する基地局制御装置を特定し、特定した基地局制御装置の識別子を含む基地局制御装置情報を前記第２の基地局へ送信する基地局制御装置情報送信ステップと、
前記第２の基地局が、前記ＩＤ情報を、前記基地局制御装置情報に基づいて前記第１の基地局を制御する基地局制御装置へ通知する第３のＩＤ情報通知ステップと、
前記第１の基地局を制御する基地局制御装置が、前記ＩＤ情報に基づいて前記移動端末と接続していた前記第１の基地局を特定し、前記第１の基地局へ前記ＩＤ情報を通知する第４のＩＤ情報通知ステップと、
前記第１の基地局が、前記第４のＩＤ情報送信ステップで送信されたＩＤ情報に基づいて前記移動端末に対応するコンテキスト情報を特定し、そのコンテキスト情報を前記第１の基地局を制御する基地局制御装置に送信する基地局コンテキスト送信ステップと、
前記第１の基地局を制御する基地局制御装置が、前記基地局コンテキスト送信ステップで送信されたコンテキスト情報を前記第２の基地局へ転送するコンテキスト転送ステップと、
を含むことを特徴とする請求項１に記載の再接続方法。
【請求項８】
前記コンテキスト取得ステップは、
前記第２の基地局を制御する基地局制御装置が、前記ＩＤ情報に基づいて前記第１の基地局を制御する基地局制御装置を特定し、特定した基地局制御装置へ、前記ＩＤ情報と前記第２の基地局の識別子を含む基地局情報とを送信する基地局情報送信ステップと、
前記第１の基地局を制御する基地局制御装置が、前記ＩＤ情報に基づいて前記移動端末に対応するコンテキスト情報を特定し、特定したコンテキスト情報を、前記基地局情報に基づいて前記第２の基地局へ送信する制御装置コンテキスト送信ステップと、
を含むことを特徴とする請求項１または２に記載の再接続方法。
【請求項９】
前記コンテキスト取得ステップは、
前記第２の基地局を制御する基地局制御装置が、前記ＩＤ情報に基づいて前記第１の基地局を制御する基地局制御装置を特定し、特定した基地局制御装置へ、前記ＩＤ情報と前記第２の基地局の識別子を含む基地局情報とを送信する基地局情報送信ステップと、
前記第１の基地局を制御する基地局制御装置が、前記ＩＤ情報に基づいて第１の基地局を特定し、前記第１の基地局へ、前記ＩＤ情報と前記基地局情報とを転送する基地局情報転送ステップと、
前記第１の基地局が、前記基地局情報転送ステップで転送されたＩＤ情報に基づいて前記移動端末に対応するコンテキスト情報を特定し、そのコンテキスト情報を、前記基地局情報に基づいて前記第２の基地局へ送信する基地局コンテキスト送信ステップと、
を含むことを特徴とする請求項１に記載の再接続方法。
【請求項１０】
前記コンテキスト取得ステップは、
前記第２の基地局を制御する基地局制御装置が、前記ＩＤ情報に基づいて前記第１の基地局を制御する基地局制御装置を特定し、特定した基地局制御装置の識別子を含む基地局制御装置情報を前記第２の基地局へ送信する基地局制御装置情報送信ステップと、
前記第２の基地局が、前記ＩＤ情報と自身の識別子を含む基地局情報とを、前記基地局制御装置情報に基づいて前記第１の基地局を制御する基地局制御装置へ送信する基地局情報送信ステップと、
前記第１の基地局を制御する基地局制御装置が、前記ＩＤ情報に基づいて第１の基地局を特定し、前記第１の基地局へ前記ＩＤ情報と前記基地局情報とを転送する基地局情報転送ステップと、
前記第１の基地局が、前記基地局情報転送ステップで転送されたＩＤ情報に基づいて前記移動端末に対応するコンテキスト情報を特定し、そのコンテキスト情報を前記基地局情報に基づいて前記第２の基地局へ送信する基地局コンテキスト送信ステップと、
を含むことを特徴とする請求項１に記載の再接続方法。
【請求項１１】
前記コンテキスト取得ステップは、
前記第２の基地局を制御する基地局制御装置が、前記ＩＤ情報に基づいて前記第１の基地局を制御する基地局制御装置を特定し、特定した基地局制御装置の識別子を含む基地局制御装置情報を前記第２の基地局へ送信する基地局制御装置情報送信ステップと、
前記第２の基地局が、前記ＩＤ情報を、前記基地局制御装置情報に基づいて前記第１の基地局を制御する基地局制御装置へ通知する第３のＩＤ情報通知ステップと、
前記第１の基地局を制御する基地局制御装置が、前記ＩＤ情報に基づいて前記移動端末と接続していた前記第１の基地局を特定し、前記第１の基地局の識別子を含む基地局情報を前記第２の基地局へ送信する基地局情報送信ステップと、
前記第２の基地局が、前記基地局情報に基づいて前記第１の基地局へ前記ＩＤ情報を通知する第４のＩＤ情報通知ステップと、
前記第１の基地局が、前記第４のＩＤ情報通知ステップで通知されたＩＤ情報に基づいて前記移動端末に対応するコンテキスト情報を特定し、特定したコンテキスト情報を前記第２の基地局へ送信する基地局コンテキスト送信ステップと、
を含むことを特徴とする請求項１に記載の再接続方法。
【請求項１２】
前記コンテキスト取得ステップは、
前記第２の基地局を制御する基地局制御装置が、前記第１の基地局を制御する基地局制御装置に前記ＩＤ情報を通知する第３のＩＤ情報通知ステップと、
前記第１の基地局を制御する基地局制御装置が、前記ＩＤ情報に基づいて前記第１の基地局を特定し、前記第１の基地局の識別子を含む基地局情報を前記第２の基地局を制御する制御装置へ送信する基地局情報送信ステップと、
前記第２の基地局を制御する制御装置が、前記基地局情報に基づいて前記第１の基地局へ前記ＩＤ情報を通知する第４のＩＤ情報通知ステップと、
前記第１の基地局が、前記第４のＩＤ情報通知ステップで通知されたＩＤ情報に基づいて前記移動端末に対応するコンテキスト情報を特定し、そのコンテキスト情報を前記第２の基地局を制御する基地局制御装置へ送信する基地局コンテキスト送信ステップと、
前記第２の基地局を制御する基地局制御装置が、前記第２の基地局へ前記基地局コンテキスト送信ステップで送信されたコンテキスト情報を転送するコンテキスト転送ステップと、
を含むことを特徴とする請求項１に記載の再接続方法。
【請求項１３】
前記コンテキスト取得ステップは、
前記第２の基地局を制御する基地局制御装置が、前記第１の基地局を制御する基地局制御装置に前記ＩＤ情報を通知する第３のＩＤ情報通知ステップと、
前記第１の基地局を制御する基地局制御装置が、前記ＩＤ情報に基づいて前記第１の基地局を特定し、前記第１の基地局の識別子を含む第１の基地局情報を前記第２の基地局を制御する基地局制御装置へ送信する第１の基地局情報送信ステップと、
前記第２の基地局を制御する基地局制御装置が、前記ＩＤ情報と前記第２の基地局の識別子を含む第２の基地局情報とを、前記第１の基地局情報に基づいて前記第１の基地局へ送信する第２の基地局情報送信ステップと、
前記第１の基地局が、前記第２の基地局情報送信ステップで通知されたＩＤ情報に基づいて前記移動端末に対応するコンテキスト情報を特定し、特定したコンテキスト情報を、前記第２の基地局情報に基づいて前記第２の基地局へ送信する基地局コンテキスト送信ステップと、
を含むことを特徴とする請求項１に記載の再接続方法。
【請求項１４】
前記コンテキスト取得ステップは、
前記第２の基地局を制御する基地局制御装置が、前記第１の基地局を制御する基地局制御装置に前記ＩＤ情報を通知する第３のＩＤ情報通知ステップと、
前記第１の基地局を制御する基地局制御装置が、前記ＩＤ情報に基づいて前記第１の基地局を特定し、前記第１の基地局へ、前記ＩＤ情報と前記第２の基地局を制御する基地局制御装置の識別子を含む基地局制御装置情報とを通知する制御装置情報通知ステップと、
前記第１の基地局が、前記制御装置情報通知ステップで通知されたＩＤ情報に基づいて前記移動端末に対応するコンテキスト情報を特定し、そのコンテキスト情報を前記基地局制御装置情報に基づいて前記第２の基地局を制御する基地局制御装置へ送信する基地局コンテキスト送信ステップと、
前記第２の基地局を制御する基地局制御装置が、前記第２の基地局へ前記基地局コンテキスト送信ステップで送信されたコンテキスト情報を転送するコンテキスト転送ステップと、
を含むことを特徴とする請求項１に記載の再接続方法。
【請求項１５】
前記コンテキスト取得ステップでは、
前記第２の基地局が、自身を制御する基地局制御装置へ前記ＩＤ情報を通知する際に、さらに前記第２の基地局と通信するための基地局情報を送信することとし、
さらに、
前記コンテキスト取得ステップは、
前記第２の基地局を制御する基地局制御装置が、前記ＩＤ情報に基づいて前記第１の基地局を制御する基地局制御装置を特定し、特定した基地局制御装置へ、前記ＩＤ情報と前記基地局情報とを送信する基地局情報送信ステップと、
前記第１の基地局を制御する基地局制御装置が、前記ＩＤ情報を前記第１の基地局へ通知する第３のＩＤ情報通知ステップと、
前記第１の基地局が、前記第３のＩＤ情報通知ステップで通知された前記ＩＤ情報に基づいて前記移動端末に対応するコンテキスト情報を特定し、そのコンテキスト情報を前記第１の基地局を制御する基地局制御装置へ送信する基地局コンテキスト送信ステップと、
前記第１の基地局を制御する基地局制御装置が、前記基地局コンテキスト送信ステップで送信されたコンテキスト情報を、前記基地局情報に基づいて前記第２の基地局へ転送するコンテキスト転送ステップと、
を含むことを特徴とする請求項１に記載の再接続方法。
【請求項１６】
請求項１〜１５のいずれか一つに記載の再接続方法の処理を実行可能とすることを特徴とする通信システム。
【発明の詳細な説明】
【技術分野】
【０００１】
本発明は、３ＧＰＰ（3rd  Generation  Partnership  Project）等で規定された通信規格を適用した無線通信システムにおける再接続方法に関する。
【背景技術】
【０００２】
３ＧＰＰネットワーク（３ＧＰＰで規定された通信規格を適用したネットワーク）において、再接続を行う方法の一つとしてＵ−ＲＮＴＩ（UTRAN  Radio  Network  Temporary  Identifier）やＣ−ＩＤ（Cell  Identifier）などを用いる方法が存在する。たとえば、移動端末（ＵＥ：User  Equipment）と、移動端末と無線通信を行うｅＮＢ（Enhanced  NodeB）またはＲＮＣ（Radio  Network  Controller）と、ｅＮＢまたはＲＮＣを制御するＭＭＥ／ＵＰＥ４（Mobile  Management  Entity／User  Plane  Entity）と、で構成される無線制御ネットワークを仮定する。
【０００３】
再接続に関して３ＧＰＰはつぎのような方法を規定している。まず、移動端末があるｅＮＢ（またはＲＮＣ）と通信を行っており、移動により他のｅＮＢ（またはＲＮＣ）のサービスエリアへ移り、再接続を行うとする。このとき、再接続の前に、移動端末は再接続先のｅＮＢ（またはＲＮＣ）へＵ−ＲＮＴＩやＣ−ＩＤなどを通知する。そして、再接続先のｅＮＢ（またはＲＮＣ）はＵ−ＲＮＴＩやＣ−ＩＤなどに基づいて移動元（移動前にその移動端末が接続していた）のｅＮＢ（またはＲＮＣ）を特定し、移動元のｅＮＢ（またはＲＮＣ）からその移動端末のＵＥコンテキスト（移動端末に関する様々な情報）を取得して、再接続を行う。
【０００４】
また、再接続の別方法として下記非特許文献１に記載の方法が存在する。下記非特許文献１では、移動端末が移動により他のｅＮＢ（またはＲＮＣ）に再接続する前に移動端末は再接続先のｅＮＢ（またはＲＮＣ）へＵ−ＲＮＴＩやＣ−ＩＤなどを通知するところは上記方法と同様である。その後、再接続先のｅＮＢ（またはＲＮＣ）はＭＭＥ／ＵＰＥ４へＵ−ＲＮＴＩやＣ−ＩＤなどを通知し、ＭＭＥ／ＵＰＥ４がその移動端末のＵＥコンテキストを特定する。そして、ＭＭＥ／ＵＰＥ４が再接続先のｅＮＢ（またはＲＮＣ）へ特定したＵＥコンテキストを通知する。このようにして、再接続先のｅＮＢ（またはＲＮＣ）がその移動端末のＵＥコンテキストを取得して、再接続を行う。
【０００５】
【非特許文献１】３ＧＰＰ  Ｓｐｅｃｉｆｉｃａｔｉｏｎ，“ＴＳＧ−ＲＡＮ  ＷＧ＃５６ｂｉｓ  Ｉｓｓｕｅｓ  ｆｏｒ  ｃｏｎｎｅｃｔｉｏｎ  ｒｅ−ｅｓｔａｂｌｉｓｈｍｅｎｔ”，Ｊａｎｕａｒｙ  ２００７
【発明の開示】
【発明が解決しようとする課題】
【０００６】
しかしながら、上記従来の３ＧＰＰネットワークの再接続方法によれば、再接続先のｅＮＢ（またはＲＮＣ）が、移動前に移動端末が接続していたｅＮＢ（またはＲＮＣ）からＵＥコンテキストを取得する。このため、各ｅＮＢ（またはＲＮＣ）は、移動端末がハンドオーバにより接続する隣接セル，再接続の可能性のあるセルなどを含む隣接ノードに関する情報を保持している必要がある、という問題があった。また、移動端末の移動による再接続だけでなく、移動端末が接続していたｅＮＢ（またはＲＮＣ）に障害が生じた場合にも他のｅＮＢ（またはＲＮＣ）に再接続を行うことになるが、この場合、再接続先のｅＮＢ（またはＲＮＣ）が、接続元のｅＮＢ（またはＲＮＣ）からＵＥコンテキストを取得しようとしても、取得できない可能性が極めて高い、という問題があった。
【０００７】
また、上記非特許文献１に記載の再接続方法では、上記の問題は改善されるが、各ｅＮＢ（またはＲＮＣ）がＭＭＥ／ＵＰＥからＵＥコンテキストを取得することになるため、再接続によるトラヒックがＭＭＥ／ＵＰＥに集中する、という問題がある。
【０００８】
本発明は、上記に鑑みてなされたものであって、各ｅＮＢ（またはＲＮＣ）が隣接ノードに関する大量な情報を保持することなく、かつ、再接続トラヒックの集中を防ぐことのできる再接続方法および通信システムを得ることを目的とする。
【課題を解決するための手段】
【０００９】
上述した課題を解決し、目的を達成するために、本発明は、移動端末、前記移動端末と無線接続する基地局、および前記基地局を制御する基地局制御装置で構成される通信システムにおいて、前記移動端末が第１の基地局の配下から第２の基地局の配下へ移動した後に、再接続先の第２の基地局が前記移動端末との通信に関する情報であるコンテキスト情報を取得する場合の再接続方法であって、前記移動端末が、前記第２の基地局と無線コネクションを確立すると同時に、自身の識別子であるユーザＩＤを含むＩＤ情報を通知する第１のＩＤ情報通知ステップと、前記第２の基地局が、前記ＩＤ情報に基づいて前記第１の基地局を特定する基地局特定ステップと、前記第２の基地局が、特定した第１の基地局へ前記ＩＤ情報を通知する第２のＩＤ情報通知ステップと、前記第１の基地局が、前記ＩＤ情報に基づいて前記移動端末に対応するコンテキスト情報を特定するコンテキスト特定ステップと、前記第１の基地局が、特定したコンテキスト情報を前記第２の基地局へ送信するコンテキスト送信ステップと、前記第２の基地局が、自身を制御する基地局制御装置へ前記ＩＤ情報を通知して、前記移動端末に対応するコンテキスト情報を取得するコンテキスト取得ステップと、を含み、前記基地局特定ステップで前記第１の基地局が特定できなかった場合に、前記コンテキスト取得ステップを実施することを特徴とする。
【発明の効果】
【００１０】
この発明によれば、再接続先の基地局（ｅＮＢまたはＲＮＣ）が、通常は、接続元の基地局から移動端末のＵＥコンテキストを取得し、接続元の基地局を特定できなかった場合には、基地局制御装置（ＭＭＥ／ＵＰＥ）から移動端末のＵＥコンテキストを取得するようにしたので、各基地局は隣接ノードに関する大量の情報を保持することなく、かつ、再接続トラヒックの集中を防ぐことができる、という効果を奏する。
【発明を実施するための最良の形態】
【００１１】
以下に、本発明にかかる再接続方法および通信システムの実施の形態を図面に基づいて詳細に説明する。なお、この実施の形態によりこの発明が限定されるものではない。
【００１２】
実施の形態１．
図１は、本発明にかかる通信システムの実施の形態１の構成例を示す図である。図１に示すように、本実施の形態の通信システムは、移動可能な無線端末である移動端末１と、移動端末１と無線接続する基地局であるｅＮＢ２−１，２−２と、ｅＮＢ２−１，２−２を制御する基地局制御装置であるＭＭＥ／ＵＰＥ３と、で構成され、ｅＮＢ２−１，ｅＮＢ２−２，ＭＭＥ／ＵＰＥ３は移動体ネットワーク４で接続されている。なお、ｅＮＢ２−１，２−２は、ここではEnhanced  NodeB（ｅＮＢ）としているが、Enhanced  NodeBに限らず、Radio  Network  Controller（ＲＮＣ）などとしてもよい。また、ｅＮＢの局数は２局に限らず、何局で構成してもよい。
【００１３】
移動端末１がｅＮＢ２−１の配下から再接続によりｅＮＢ２−２の配下へ移動する動作（再接続手順）について、図２−１，２−２，２−３を用いて説明する。
【００１４】
図２−１は、再接続先のｅＮＢ２−２が接続元のｅＮＢ２−１から移動端末のＵＥコンテキストを取得できる場合の再接続手順の一例を示すフローチャートである。まず、移動端末１は、ｅＮＢ２−１との間で、所定の無線コネクション確立方法でコネクションを確立し通信中であるとする（ステップＳ１１）。所定の無線コネクション確立方法としては、特に制約はなく一般的な無線コネクション確立方法であればよい。
【００１５】
つぎに、移動端末１はｅＮＢ２−１の配下となるエリアから、ｅＮＢ２−２の配下となるエリアに移動する（ステップＳ１２）。そして、移動端末１は、ｅＮＢ２−１との無線コネクションを解放し（ステップＳ１３）、ｅＮＢ２−２との間で所定の無線コネクション確立方法で無線コネクションを確立する（ステップＳ１４）。このとき、移動端末１は、ＩＤ情報（Identifier）として、ｅＮＢ２−２へユーザＩＤ（Ｕ−ＲＮＴＩやＩＭＳＩ（International  Mobile  Subscriber  Identity）など）と、移動端末１が通信していたｅＮＢ２−１に対応するセルＩＤまたはｅＮＢ２−１に対応する基地局ＩＤ（Ｃ−ＩＤやｅＮＢ  ＩＤなど）と、を通知する。ＩＤ情報は、ユーザＩＤのみとする、または、ユーザＩＤと、ｅＮＢ２−１に対応するセルＩＤおよび基地局ＩＤとしてもよい。
【００１６】
そして、ｅＮＢ２−２は、ステップＳ１４で通知されたＩＤ情報に基づいて移動端末１が再接続の前に通信していたｅＮＢ２−１を特定する（ステップＳ１５）。そして、ＵＥコンテキストを取得のために、特定したｅＮＢ２−１へ移動端末１のユーザＩＤとセルＩＤまたは基地局ＩＤと、を通知する（ステップＳ１６）。ｅＮＢ２−１は、ステップＳ１６で通知されたユーザＩＤに対応するＵＥコンテキストを特定し（ステップＳ１７）、特定したＵＥコンテキストをｅＮＢ２−２へ通知する（ステップＳ１８）。そして、ｅＮＢ２−２は、通知されたＵＥコンテキストに基づいて移動端末１との再接続を行い、再接続の完了後に、移動端末１の通信が再開される（ステップＳ１９）。
【００１７】
以上の図２−１の例は、従来の再接続方法と同様にｅＮＢ２−２が隣接ノードの情報を保持し、かつ、接続元のｅＮＢ２−１がｅＮＢ２−２へ正しくＵＥコンテキストを通知できた場合の手順である。本実施の形態では、ｅＮＢ２−２が、接続元のｅＮＢ２−１からＵＥコンテキストを取得できなかった場合にも対応できるよう、つぎの手順による再接続も行う。
【００１８】
図２−２は、再接続先のｅＮＢ２−２が、接続元のｅＮＢ２−１からＵＥコンテキストを取得できなかった場合の再接続手順の一例を示すフローチャートである。ステップＳ１１〜ステップＳ１６までは、図２−１の例と同様である。ｅＮＢ２−１が、ステップＳ１６の通知に対応するＵＥコンテキストが特定できなかったとする（ステップＳ２０）。このときは、ｅＮＢ２−１は、ｅＮＢ２−２へＵＥコンテキストの特定ができなかったことを示す特定不可通知を送信する（ステップＳ２１）。
【００１９】
ｅＮＢ２−２は、特定不可通知を受信すると、ステップＳ１４で通知されたＩＤ情報とを、ＭＭＥ／ＵＰＥ３へ通知する（ステップＳ２２）。そして、ＭＭＥ／ＵＰＥ３は、通知されたユーザＩＤに基づいて対応するＵＥコンテキストを特定し（ステップＳ２３）、特定したＵＥコンテキストをｅＮＢ２−２へ通知する（ステップＳ２４）。なお、ＭＭＥ／ＵＰＥ３は、ユーザＩＤに対応するＵＥコンテキストを保持していることとする。ステップＳ１９は、図２−１の例と同様である。
【００２０】
また、ｅＮＢ２−２が隣接ノードの情報（隣接ノードがどのユーザＩＤの移動端末と通信を行っているかなどを含む）を保持していない場合、ｅＮＢ２−１が障害により停止している場合などには、ステップＳ１５でｅＮＢ２−１を特定することができない。本実施の形態では、この場合にも再接続が行えるようつぎのような手順でも再接続を行う。
【００２１】
図２−３は、再接続先のｅＮＢ２−２が、接続元のｅＮＢ２−１を特定できなかった場合の再接続手順の一例を示すフローチャートである。ステップＳ１１〜ステップＳ１４までは図２−１の例と同様である。ステップＳ１４の後に、ｅＮＢ２−２は、ｅＮＢ２−１を特定できなかったとする（ステップＳ２５）。ｅＮＢ２−１を特定できない状態とは、ｅＮＢ２−１に対する通信が可能な情報を保持していない、または、情報は保持していて通信を試みても応答がなかった場合、などを含む。ステップＳ２５の後は、図２−２の例と同様にステップＳ２２，ステップＳ２３，ステップＳ２４，ステップＳ１９を実施する。
【００２２】
以上のように、本実施の形態では、再接続先のｅＮＢ２−２は、通常は、接続元のｅＮＢ２−１から移動端末１のＵＥコンテキストを取得し、再接続先のｅＮＢ２−２がｅＮＢ２−１から移動端末１に関するＵＥコンテキストの特定不可通知を受信した場合、および、接続元のｅＮＢ２−１を特定できなかった場合には、ＭＭＥ／ＵＰＥ３から移動端末１のＵＥコンテキストを取得するようにした。このため、各ｅＮＢが隣接ノードに関する情報を保持していない場合でも、再接続先のＵＥコンテキストを取得することができ、また、通常の手順では接続元のｅＮＢ２−１からＵＥコンテキストを取得するため、再接続トラヒックの集中を防ぐことができる。
【００２３】
実施の形態２．
図３は、本発明にかかる通信システムの実施の形態２の構成例を示す図である。図３に示すように、本実施の形態の通信システムは、実施の形態１のＭＭＥ／ＵＰＥ３をＭＭＥ／ＵＰＥ３−１，３−２に替える以外は、実施の形態１の通信システムと同様である。ＭＭＥ／ＵＰＥ３−１，３−２は、それぞれ実施の形態１のＭＭＥ／ＵＰＥ３と同様の機能を有する。実施の形態１と同様の機能を有する構成要素は、実施の形態１と同一の符号を付して説明を省略する。
【００２４】
本実施の形態では、ｅＮＢ２−１はＭＭＥ／ＵＰＥ３−１の制御下にあり、ｅＮＢ２−２はＭＭＥ／ＵＰＥ３−２の制御下にあるとする。このように、移動端末１の接続元のｅＮＢ２−１と再接続先のｅＮＢ２−２が異なるＭＭＥ／ＵＰＥの制御下にある場合の再接続方法について説明する。
【００２５】
図４は、本実施の形態の再接続手順の一例を示すフローチャートである。ステップＳ１１〜ステップＳ１４およびステップＳ２５までは実施の形態１の図２−３と同様である。ステップＳ２５の後、ｅＮＢ２−２はＭＭＥ／ＵＰＥ３−２にステップＳ１４で通知されたＩＤ情報を通知する（ステップＳ３１）。そして、ＭＭＥ／ＵＰＥ３−２は、通知されたＩＤ情報に基づいて移動端末１が移動前に接続していたｅＮＢ２−１を制御していたＭＭＥ／ＵＰＥ３−１を特定する（ステップＳ３２）。なお、各ＭＭＥ／ＵＰＥは、ユーザＩＤごとに、ユーザＩＤに対応する移動端末と接続しているｅＮＢを制御するＭＭＥ／ＵＰＥとの対応を保持していることとする。
【００２６】
そして、ＭＭＥ／ＵＰＥ３−２は、特定したＭＭＥ／ＵＰＥ３−１へ通知されたＩＤ情報を通知する（ステップＳ３３）。ＭＭＥ／ＵＰＥ３−１は、その通知を受信すると、通知されたＩＤ情報に基づいて移動端末１に対応するＵＥコンテキストを特定し（ステップＳ３４）、特定したＵＥコンテキストをＭＭＥ／ＵＰＥ３−２へ通知する（ステップＳ３５）。そして、ＭＭＥ／ＵＰＥ３−２は、通知されたＵＥコンテキストをｅＮＢ２−２へ通知する（ステップＳ３６）。ステップＳ１９は実施の形態１と同様である。
【００２７】
なお、ステップＳ１４の後に、ｅＮＢ２−２がｅＮＢ２−１を特定できた場合には、実施の形態１の図２−１と同様の処理を行う。また、その際に、ｅＮＢ２−１がステップＳ１６の後に、移動端末１のＵＥコンテキストの特定ができなかった場合には、図２−２のステップＳ２０，２１を実施し、その後に、上述のステップＳ３１以降の処理を行うようにしてもよい。
【００２８】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１から移動端末１のＵＥコンテキストを取得し、ｅＮＢ２−２に通知するようにした。このため、再接続先のｅＮＢと接続元のｅＮＢを制御する制御装置が異なる場合にも、実施の形態１と同様の効果を得ることができる。
【００２９】
実施の形態３．
図５は、実施の形態３の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００３０】
図５のステップＳ１１〜ステップＳ１４，ステップＳ２５，ステップＳ３１〜ステップＳ３３は、実施の形態２と同様である。ステップＳ３３の後、ＭＭＥ／ＵＰＥ３−１は、ステップＳ３３で通知されたＩＤ情報に基づいて移動端末１と接続していたｅＮＢ２−１を特定する（ステップＳ４１）。なお、実施の形態２と同様に、各ＭＭＥ／ＵＰＥは、ユーザＩＤごとに、ユーザＩＤに対応する移動端末と接続しているｅＮＢと、そのｅＮＢを制御するＭＭＥ／ＵＰＥとの対応を保持していることとする。
【００３１】
そして、ＭＭＥ／ＵＰＥ３−１は、特定したｅＮＢ２−１へステップＳ３３で通知されたＩＤ情報を通知する（ステップＳ４２）。ｅＮＢ２−１は、通知されたＩＤ情報に基づいて移動端末１に対応するＵＥコンテキストを特定し（ステップＳ４３）、特定したＵＥコンテキストをＭＭＥ／ＵＰＥ３−１に通知する（ステップＳ４４）。そして、ＭＭＥ／ＵＰＥ３−１は、通知されたＵＥコンテキストをＭＭＥ／ＵＰＥ３−２に通知し（ステップＳ４５）、ＭＭＥ／ＵＰＥ３−２は、そのＵＥコンテキストをｅＮＢ２−２へ送信する（ステップＳ４６）。その後、実施の形態１と同様にステップＳ１９を実施する。
【００３２】
なお、ステップＳ１４の後に、ｅＮＢ２−２がｅＮＢ２−１を特定できた場合には、実施の形態１の図２−１と同様の処理を行う。また、その際に、ｅＮＢ２−１がステップＳ１６の後に、移動端末１のＵＥコンテキストの特定ができなかった場合には、図２−２のステップＳ２０，２１を実施し、その後に、上述のステップＳ３１以降の処理を行うようにしてもよい。
【００３３】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１が、移動端末１と接続していたｅＮＢ２−１を特定してｅＮＢ２−１からＵＥコンテキストを取得してＭＭＥ／ＵＰＥ３−２に通知し、さらにＭＭＥ／ＵＰＥ３−２がＵＥコンテキストをｅＮＢ２−２に通知するようにした。このため、再接続先のｅＮＢと接続元のｅＮＢを制御する制御装置が異なる場合にも、実施の形態１と同様の効果を得ることができる。
【００３４】
実施の形態４．
図６は、実施の形態４の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００３５】
図６のステップＳ１１〜ステップＳ１４，ステップＳ２５，ステップＳ３１〜ステップＳ３２は、実施の形態２と同様である。ステップＳ３２の後、ＭＭＥ／ＵＰＥ３−２は、ｅＮＢ２-２にＭＭＥ／ＵＰＥ３−１の識別子を含む情報を通知する（ステップＳ５１）。このときの情報は、ｅＮＢ２-２がＭＭＥ／ＵＰＥ３−１と通信が可能な情報とする。そして、ｅＮＢ２-２は、ステップＳ１４で通知されたＩＤ情報をＭＭＥ／ＵＰＥ３−１に通知する（ステップＳ５２）。そして、ＭＭＥ／ＵＰＥ３−１は、通知されたＩＤ情報に基づいて移動端末１に対応するＵＥコンテキストを特定し（ステップＳ５３）、特定したＵＥコンテキストをｅＮＢ２−２に通知する（ステップＳ５４）。その後、実施の形態１と同様にステップＳ１９を実施する。
【００３６】
なお、ステップＳ１４の後に、ｅＮＢ２−２がｅＮＢ２−１を特定できた場合には、実施の形態１の図２−１と同様の処理を行う。また、その際に、ｅＮＢ２−１がステップＳ１６の後に、移動端末１のＵＥコンテキストの特定ができなかった場合には、図２−２のステップＳ２０，２１を実施し、その後に、上述のステップＳ３１以降の処理を行うようにしてもよい。
【００３７】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１に関する情報をｅＮＢ２−２に通知するようにした。さらに、ｅＮＢ２−２は、ＭＭＥ／ＵＰＥ３−１から移動端末１に対応するＵＥコンテキストを取得するようにした。このため、再接続先のｅＮＢと接続元のｅＮＢを制御する制御装置が異なる場合にも、実施の形態１と同様の効果を得ることができる。
【００３８】
実施の形態５．
図７は、実施の形態５の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００３９】
図７のステップＳ１１〜ステップＳ１４，ステップＳ２５，ステップＳ３１〜ステップＳ３２，ステップＳ５１，５２は、実施の形態４と同様である。ステップＳ５２の後、ＭＭＥ／ＵＰＥ３−１は、ステップＳ５２で通知されたＩＤ情報に基づいて移動端末１と接続していたｅＮＢ２−１を特定し（ステップＳ６１）、特定したｅＮＢ２−１へ通知されたＩＤ情報を通知する（ステップＳ６２）。そして、ｅＮＢ２−１は、通知されたＩＤ情報に基づいて移動端末１のＵＥコンテキストを特定し（ステップＳ６３）、特定したＵＥコンテキストをＭＭＥ／ＵＰＥ３−１へ通知する（ステップＳ６４）。ＭＭＥ／ＵＰＥ３−１は、通知されたＵＥコンテキストをｅＮＢ２−２へ通知する（ステップＳ６５）。その後、実施の形態１と同様にステップＳ１９を実施する。
【００４０】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１に関する情報をｅＮＢ２−２に通知するようにした。さらに、ｅＮＢ２−２は、ＩＤ情報をＭＭＥ／ＵＰＥ３−１に通知し、ＭＭＥ／ＵＰＥ３−１が移動端末１と接続していたｅＮＢ２−１を特定するようにした。そして、ＭＭＥ／ＵＰＥ３−１がｅＮＢ２−１から移動端末１に対応するＵＥコンテキストを取得し、ｅＮＢ２−２にそのＵＥコンテキストを通知するようにした。このため、再接続先のｅＮＢと接続元のｅＮＢを制御する制御装置が異なる場合にも、実施の形態１と同様の効果を得ることができる。
【００４１】
実施の形態６．
図８は、実施の形態６の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００４２】
図８のステップＳ１１〜ステップＳ１４，ステップＳ２５，ステップＳ３１〜ステップＳ３２は、実施の形態２と同様である。ステップＳ３２の後、ＭＭＥ／ＵＰＥ３−２は、ステップＳ３１で通知されたＩＤ情報と、ＩＤ情報を送信したｅＮＢ２−２の識別子を含む情報をＭＭＥ／ＵＰＥ３−１へ通知する（ステップＳ７１）。この情報は、ｅＮＢ２−２との通信に必要な情報とする。そして、ＭＭＥ／ＵＰＥ３−１は、通知されたＩＤ情報に基づいて移動端末１に対応するＵＥコンテキストを特定し（ステップＳ７２）、また、ｅＮＢ２−２に関する情報に基づいてｅＮＢ２−２を特定する（ステップＳ７３）。そして、ＭＭＥ／ＵＰＥ３−１は、特定したＵＥコンテキストを、特定したｅＮＢ２−２へ通知する（ステップＳ７４）。その後、実施の形態１と同様にステップＳ１９を実施する。
【００４３】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１へＩＤ情報とｅＮＢ２−２に関する情報を通知するようにした。ＭＭＥ／ＵＰＥ３−１は、通知されたＩＤ情報に基づいて移動端末１のＵＥコンテキストを特定して、通知されたｅＮＢ２−２に関する情報に基づいてｅＮＢ２−２を特定し、ｅＮＢ２−２へ特定したＵＥコンテキストを送信するようにした。このため、再接続先のｅＮＢと接続元のｅＮＢを制御する制御装置が異なる場合にも、実施の形態１と同様の効果を得ることができる。
【００４４】
実施の形態７．
図９は、実施の形態７の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００４５】
図９のステップＳ１１〜ステップＳ１４，ステップＳ２５，ステップＳ３１〜ステップＳ３２，ステップＳ７１は、実施の形態６と同様である。ステップＳ７１の後、ＭＭＥ／ＵＰＥ３−１は、ステップＳ７１で通知されたＩＤ情報に基づいて移動端末１と接続していたｅＮＢ２−１を特定する（ステップＳ８１）。そして、ＭＭＥ／ＵＰＥ３−１は、ステップＳ７１で通知されたＩＤ情報とｅＮＢ２−２に関する情報を特定したｅＮＢ２−１へ送信する（ステップＳ８２）。
【００４６】
そして、ｅＮＢ２−１は、通知されたＩＤ情報に基づいて移動端末１に対応するＵＥコンテキストを特定し（ステップＳ８３）、通知されたｅＮＢ２−２に関する情報に基づいてｅＮＢ２−２を特定する（ステップＳ８４）。そして、特定したＵＥコンテキストを特定したｅＮＢ２−２へ通知する（ステップＳ８５）。その後、実施の形態１と同様にステップＳ１９を実施する。
【００４７】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２が移動端末１の接続していたｅＮＢ２−１を制御していたＭＭＥ／ＵＰＥ３−１を特定し、ＭＭＥ／ＵＰＥ３−１へ、ＩＤ情報とｅＮＢ２−２に関する情報を送信する。ＭＭＥ／ＵＰＥ３−１は、ＩＤ情報に基づいて移動端末１を制御していたｅＮＢ２−１を特定し、ｅＮＢ２−１へＩＤ情報とｅＮＢ２−２に関する情報を通知する。そして、ｅＮＢ２−１は、ＩＤ情報に基づいて移動端末１に対応するＵＥコンテキストを特定し、特定したＵＥコンテキストをｅＮＢ２−２へ送信するようにした。このため、再接続先のｅＮＢと接続元のｅＮＢを制御する制御装置が異なる場合にも、実施の形態１と同様の効果を得ることができる。
【００４８】
実施の形態８．
図１０は、実施の形態８の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００４９】
図１０のステップＳ１１〜ステップＳ１４，ステップＳ２５，ステップＳ３１〜ステップＳ３２，ステップＳ５１は、実施の形態４と同様である。ステップＳ５１の後、ｅＮＢ２−２は、ステップＳ１４で通知されたＩＤ情報とｅＮＢ２−２に関する情報を、ＭＭＥ／ＵＰＥ３−１へ通知する（ステップＳ９１）。そして、ＭＭＥ／ＵＰＥ３−１は、通知されたＩＤ情報に基づいて移動端末１に接続していたｅＮＢ２−１を特定し（ステップＳ９２）、ステップＳ９１で通知されたＩＤ情報とｅＮＢ２−２に関する情報を、ｅＮＢ２−１へ通知する（ステップＳ９３）。
【００５０】
ｅＮＢ２−１は、通知されたＩＤ情報に基づいて移動端末１に対応するＵＥコンテキストを特定し（ステップＳ９４）、ｅＮＢ２−２に関する情報に基づいてｅＮＢ２−２を特定する（ステップＳ９５）。ｅＮＢ２−１は、特定したＵＥコンテキストをｅＮＢ２−２へ通知する（ステップＳ９６）。その後、実施の形態１と同様にステップＳ１９を実施する。
【００５１】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２が移動端末１の接続していたｅＮＢ２−１を制御していたＭＭＥ／ＵＰＥ３−１を特定し、ｅＮＢ２−２へＭＭＥ／ＵＰＥ３−１に関する情報を送信する。ｅＮＢ２−２は、ＩＤ情報とｅＮＢ２−２に関する情報をＭＭＥ／ＵＰＥ３−１へ通知して、ＭＭＥ／ＵＰＥ３−１がｅＮＢ２−１へ、ＩＤ情報とｅＮＢ２−２に関する情報を通知し、ｅＮＢ２−１が移動端末１に対応するＵＥコンテキストをｅＮＢ２−２へ通知するようにした。このため、再接続先のｅＮＢと接続元のｅＮＢを制御する制御装置が異なる場合にも、実施の形態１と同様の効果を得ることができる。
【００５２】
実施の形態９．
図１１は、実施の形態９の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００５３】
図１１のステップＳ１１〜ステップＳ１４，ステップＳ２５，ステップＳ３１〜ステップＳ３２，ステップＳ５１，ステップＳ５２，ステップＳ６１は、実施の形態５と同様である。ステップＳ６１の後、ＭＭＥ／ＵＰＥ３−１は、ｅＮＢ２−１に関する情報をｅＮＢ２−２に通知する（ステップＳ１０１）。ｅＮＢ２−２は、ステップＳ１４で通知されたＩＤ情報をｅＮＢ２−１へ通知する(ステップＳ１０２）。そして、ｅＮＢ２−１は、ＩＤ情報に基づいて移動端末１に対応するＵＥコンテキストを特定し（ステップＳ１０３）、特定したＵＥコンテキストをｅＮＢ２−２へ通知する（ステップＳ１０４）。その後、実施の形態１と同様にステップＳ１９を実施する。
【００５４】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１に関する情報をｅＮＢ２−２に通知するようにした。さらに、ｅＮＢ２−２は、ＩＤ情報をＭＭＥ／ＵＰＥ３−１に通知し、ＭＭＥ／ＵＰＥ３−１が移動端末１と接続していたｅＮＢ２−１を特定するようにした。そして、ＭＭＥ／ＵＰＥ３−１がｅＮＢ２−２へｅＮＢ２−１に関する情報を送信し、ｅＮＢ２−２がｅＮＢ２−１から移動端末１に対応するＵＥコンテキストを取得するようにした。このため、再接続先のｅＮＢと接続元のｅＮＢを制御する制御装置が異なる場合にも、実施の形態１と同様の効果を得ることができる。
【００５５】
実施の形態１０．
図１２は、実施の形態１０の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００５６】
図１２のステップＳ１１〜ステップＳ１４，ステップＳ２５，ステップＳ３１〜ステップＳ３３，ステップＳ４１は、実施の形態３と同様である。ステップＳ４１の後、ＭＭＥ／ＵＰＥ３−１は、ＭＭＥ／ＵＰＥ３−２へｅＮＢ２−１に関する情報を通知する（ステップＳ１１１）。ＭＭＥ／ＵＰＥ３−２は、ステップＳ３１で通知されたＩＤ情報を、ステップＳ１１１で通知されたｅＮＢ２−１に関する情報に基づいてｅＮＢ２−１を特定してｅＮＢ２−１へ通知する（ステップＳ１１２）。そして、ｅＮＢ２−１は、通知されたＩＤ情報に基づいて移動端末１のＵＥコンテキストと特定し（ステップＳ１１３）、特定したＵＥコンテキストをＭＭＥ／ＵＰＥ３−２へ通知する（ステップＳ１１４）。ＭＭＥ／ＵＰＥ３−２は通知されたＵＥコンテキストをｅＮＢ２−２へ通知する（ステップＳ１１５）。その後、実施の形態１と同様にステップＳ１９を実施する。
【００５７】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２がＩＤ情報に基づいて移動端末１の接続元のｅＮＢ２−１を制御していたＭＭＥ／ＵＰＥ３−１を特定して、ＭＭＥ／ＵＰＥ３−１が、移動端末１と接続していたｅＮＢ２−１を特定し、ｅＮＢ２−１に関する情報をＭＭＥ／ＵＰＥ３−２に通知する。そして、ＭＭＥ／ＵＰＥ３−２がｅＮＢ２−１から移動端末１に対応するＵＥコンテキストを取得して、ｅＮＢ２−２に取得したＵＥコンテキストを通知するようにした。このため、再接続先のｅＮＢと接続元のｅＮＢを制御する制御装置が異なる場合にも、実施の形態１と同様の効果を得ることができる。
【００５８】
実施の形態１１．
図１３は、実施の形態１１の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００５９】
図１３のステップＳ１１〜ステップＳ１４，ステップＳ２５，ステップＳ３１〜ステップＳ３３，ステップＳ４１，ステップＳ１１１は、実施の形態１０と同様である。ステップＳ１１１の後、ＭＭＥ／ＵＰＥ３−２は、ステップＳ３１で通知されたＩＤ情報と、ｅＮＢ２−２に関する情報とをｅＮＢ２−１へ通知する（ステップＳ１２１）。そして、ｅＮＢ２−１は、通知されたＩＤ情報に基づいて移動端末１に対応するＵＥコンテキストを特定し（ステップＳ１２２）、ｅＮＢ２−２に関する情報に基づいてｅＮＢ２−２を特定する（ステップＳ１２３）。そして、特定したＵＥコンテキストをｅＮＢ２−２へ通知する（ステップＳ１２４）。その後、実施の形態１と同様にステップＳ１９を実施する。
【００６０】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２が、ＩＤ情報に基づいて移動端末１の接続元のｅＮＢ２−１を制御していたＭＭＥ／ＵＰＥ３−１を特定して、ＭＭＥ／ＵＰＥ３−１へＩＤ情報を通知し、ＭＭＥ／ＵＰＥ３−１が移動端末１と接続していたｅＮＢ２−１を特定し、ｅＮＢ２−１に関する情報をＭＭＥ／ＵＰＥ３−２に通知する。そして、ＭＭＥ／ＵＰＥ３−２がｅＮＢ２−１にＩＤ情報とｅＮＢ２−２に関する情報を通知し、ｅＮＢ２−１はＩＤ情報に基づいて移動端末１に対応するＵＥコンテキストを特定して、特定したＵＥコンテキストをｅＮＢ２−２に通知するようにした。このため、再接続先のｅＮＢと接続元のｅＮＢを制御する制御装置が異なる場合にも、実施の形態１と同様の効果を得ることができる。
【００６１】
実施の形態１２．
図１４は、実施の形態１２の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００６２】
図１４のステップＳ１１〜ステップＳ１４，ステップＳ２５，ステップＳ３１〜ステップＳ３３，ステップＳ４１は、実施の形態３と同様である。ステップＳ４１の後、ＭＭＥ／ＵＰＥ３−１は、ステップＳ３３で通知されたＩＤ情報と、ＭＭＥ／ＵＰＥ３−２に関する情報とをｅＮＢ２−１へ通知する（ステップＳ１３１）。そして、ｅＮＢ２−１は、通知されたＩＤ情報に基づいて移動端末１に対応するＵＥコンテキストを特定し（ステップＳ１３２）、ＭＭＥ／ＵＰＥ３−２に関する情報に基づいてＭＭＥ／ＵＰＥ３−２を特定する（ステップＳ１３３）。そして、特定したＵＥコンテキストをＭＭＥ／ＵＰＥ３−２へ通知し（ステップＳ１３４）、ＭＭＥ／ＵＰＥ３−２は、ｅＮＢ２−２へ通知されたＵＥコンテキストを通知する（ステップＳ１３５）。その後、実施の形態１と同様にステップＳ１９を実施する。
【００６３】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報を送信するようにした。そして、ＭＭＥ／ＵＰＥ３−２が、ＩＤ情報に基づいて移動端末１の接続元のｅＮＢ２−１を制御していたＭＭＥ／ＵＰＥ３−１を特定して、ＭＭＥ／ＵＰＥ３−１へＩＤ情報を通知し、ＭＭＥ／ＵＰＥ３−１が移動端末１と接続していたｅＮＢ２−１を特定し、ｅＮＢ２−１へＩＤ情報とＭＭＥ／ＵＰＥ３−１に関する情報を通知する。そして、ｅＮＢ２−１はＩＤ情報に基づいて移動端末１に対応するＵＥコンテキストを特定して、特定したＵＥコンテキストをＭＭＥ／ＵＰＥ３−２へ通知し、ＭＭＥ／ＵＰＥ３−２が通知されたＵＥコンテキストをｅＮＢ２−２へ通知するようにした。このため、再接続先のｅＮＢと接続元のｅＮＢを制御する制御装置が異なる場合にも、実施の形態１と同様の効果を得ることができる。
【００６４】
実施の形態１３．
図１５は、実施の形態１３の再接続手順の一例を示すフローチャートである。本実施の形態の通信システムの構成は実施の形態２と同様である。本実施の形態でも、実施の形態２と同様に、ｅＮＢ２−１はＭＭＥ／ＵＰＥ３−１の制御下にあり、ｅＮＢ２−２はＭＭＥ／ＵＰＥ３−２の制御下にあるとする。
【００６５】
図１５のステップＳ１１〜ステップＳ１４，ステップＳ２５は、実施の形態１と同様である。ステップＳ２５の後、実施の形態１のステップＳ３１と同様にｅＮＢ２−２はＩＤ情報をＭＭＥ／ＵＰＥ３−２へ送信するが、このとき、ｅＮＢ２−２に関する情報も同時に送信する（ステップＳ１４１）。その後の、ステップＳ３２，ステップＳ７１，ステップＳ８１は、実施の形態７と同様である。ステップＳ８１の後、実施の形態５と同様のステップＳ６２〜ステップＳ６４を実施する。そして、ステップＳ６４の後に、ＭＭＥ／ＵＰＥ３−１は、ステップＳ７１で通知されたｅＮＢ２−２に関する情報に基づいてｅＮＢ２−２を特定する（ステップＳ１４２）。その後、ステップＳ６５以降は実施の形態５と同様である。
【００６６】
以上のように、本実施の形態では、再接続先のｅＮＢ２−２は、移動端末１の接続元のｅＮＢ２−１を特定できなかった場合には、自装置を制御するＭＭＥ／ＵＰＥ３−２にＩＤ情報とｅＮＢ２−２に関する情報とを送信するようにした。そして、ＭＭＥ／ＵＰＥ３−２が移動端末１の接続していたｅＮＢ２−１を制御していたＭＭＥ／ＵＰＥ３−１を特定し、ＭＭＥ／ＵＰＥ３−１へ、ＩＤ情報とｅＮＢ２−２に関する情報を送信する。ＭＭＥ／ＵＰＥ３−１は、ＩＤ情報に基づいて移動端末１を制御していたｅＮＢ２−１を特定し、ｅＮＢ２−１へ、ＩＤ情報を通知する。そして、ｅＮＢ２−１はＩＤ情報に基づいて移動端末１に対応するＵＥコンテキストを特定して特定したコンテキストをＭＭＥ／ＵＰＥ３−１へ通知し、ＭＭＥ／ＵＰＥ３−１がｅＮＢ２−２に関する情報に基づいてｅＮＢ２−２を特定して、ＵＥコンテキストをｅＮＢ２−２へ通知するようにした。このため、再接続先のｅＮＢと接続元のｅＮＢを制御する制御装置が異なる場合にも、実施の形態１と同様の効果を得ることができる。
【産業上の利用可能性】
【００６７】
以上のように、本発明にかかる再接続方法および通信システムは、無線通信システムに有用であり、特に、３ＧＰＰ等で規定された通信規格を適用した無線通信システムにおける再接続方法に適している。
【図面の簡単な説明】
【００６８】
【図１】本発明にかかる通信システムの実施の形態１の構成例を示す図である。
【図２−１】再接続先のｅＮＢが接続元のｅＮＢから移動端末のＵＥコンテキストを取得できる場合の実施の形態１の再接続手順の一例を示すフローチャートである。
【図２−２】再接続先のｅＮＢが、接続元のｅＮＢからＵＥコンテキストを取得できなかった場合の実施の形態１の再接続手順の一例を示すフローチャートである。
【図２−３】再接続先のｅＮＢが、接続元のｅＮＢを特定できなかった場合の再接続手順の実施の形態１の一例を示すフローチャートである。
【図３】本発明にかかる通信システムの実施の形態２の構成例を示す図である。
【図４】実施の形態２の再接続手順の一例を示すフローチャートである。
【図５】実施の形態３の再接続手順の一例を示すフローチャートである。
【図６】実施の形態４の再接続手順の一例を示すフローチャートである。
【図７】実施の形態５の再接続手順の一例を示すフローチャートである。
【図８】実施の形態６の再接続手順の一例を示すフローチャートである。
【図９】実施の形態７の再接続手順の一例を示すフローチャートである。
【図１０】実施の形態８の再接続手順の一例を示すフローチャートである。
【図１１】実施の形態９の再接続手順の一例を示すフローチャートである。
【図１２】実施の形態１０の再接続手順の一例を示すフローチャートである。
【図１３】実施の形態１１の再接続手順の一例を示すフローチャートである。
【図１４】実施の形態１２の再接続手順の一例を示すフローチャートである。
【図１５】実施の形態１３の再接続手順の一例を示すフローチャートである。
【符号の説明】
【００６９】
１  移動端末
２−１，２−２  ｅＮＢ
３，３−１，３−２  ＭＭＥ／ＵＰＥ
４  移動体ネットワーク
【図１】
2011009798.tif 000003
【図２−１】
2011009798.tif 000004
【図２−２】
2011009798.tif 000005
【図２−３】
2011009798.tif 000006
【図３】
2011009798.tif 000007
【図４】
2011009798.tif 000008
【図５】
2011009798.tif 000009
【図６】
2011009798.tif 000010
【図７】
2011009798.tif 000011
【図８】
2011009798.tif 000012
【図９】
2011009798.tif 000013
【図１０】
2011009798.tif 000014
【図１１】
2011009798.tif 000015
【図１２】
2011009798.tif 000016
【図１３】
2011009798.tif 000017
【図１４】
2011009798.tif 000018
【図１５】
2011009798.tif 000019